(57)【要約】【課題】専用の室外機ユニットを必要としない汎用性の高い氷蓄熱ユニットを提供すること。【解決手段】蓄熱媒体として水を貯蔵及び循環させる蓄熱媒体循環系３１と、蓄熱用冷媒を循環させて冷熱を発生させる蓄熱用冷媒循環系４０とを具備し、この蓄熱用冷媒循環系４０で発生させた冷熱を水に蓄熱し、かつ、水または蓄熱用冷媒が保有する冷熱で空調用冷媒に過冷却を付加する水・冷媒熱交換器５０を備えている。【選択図】  図１
2004293889.tif 000002
【特許請求の範囲】
【請求項１】
蓄熱媒体を貯蔵及び循環させる蓄熱媒体循環系と、蓄熱用冷媒を循環させて冷熱を発生させる蓄熱用冷媒循環系とを具備し、該蓄熱用冷媒循環系で発生させた冷熱を前記蓄熱媒体に蓄熱し、かつ、前記蓄熱媒体または前記蓄熱用冷媒が保有する冷熱で空調装置の空調用冷媒に過冷却を付加する蓄熱媒体・冷媒熱交換器を備えていることを特徴とする氷蓄熱ユニット。
【請求項２】
蓄熱媒体を貯蔵する蓄熱槽と、前記蓄熱媒体を前記蓄熱槽の下部から導入して上部へ戻す蓄熱媒体配管と、該蓄熱媒体配管に設けられた蓄熱媒体循環ポンプとを具備してなる蓄熱媒体循環系と、
蓄熱用冷媒を圧縮する圧縮機と、前記蓄熱用冷媒と外気との間で熱交換を行う放熱用熱交換器と、前記蓄熱槽内に設置されて前記蓄熱用冷媒と前記蓄熱媒体との間で熱交換を行う蓄熱用熱交換器と、前記蓄熱媒体または前記蓄熱用冷媒が保有する冷熱で空調装置の空調用冷媒に過冷却を付加する蓄熱媒体・冷媒熱交換器と、前記放熱用熱交換器の下流で、流路選択手段を介し、第１の絞り手段及び前記蓄熱用熱交換器を経由して前記圧縮機に戻る蓄熱流路と、第２の絞り手段及び前記蓄熱媒体・冷媒熱交換器を経由して前記圧縮機に戻る空調用冷媒冷却流路とに分岐される蓄熱用冷媒配管とを具備してなる蓄熱用冷媒循環系と、
を備えていることを特徴とする氷蓄熱ユニット。
【請求項３】
前記蓄熱媒体・冷媒熱交換器が、前記蓄熱媒体と、前記蓄熱用冷媒と、前記空調用冷媒との３種の流体を流して熱交換させる３パス型であることを特徴とする請求項１または２記載の氷蓄熱ユニット。
【請求項４】
空調用冷媒を圧縮するための圧縮機及び前記空調用冷媒と室外の空気との熱交換を行わせるための室外熱交換器を具備してなる室外機ユニットと、
室内の空気を取り入れるための吸込口と、該吸込口から取り入れた空気と前記空調用冷媒とを熱交換させて冷却または加熱するための室内熱交換器と、該室内熱交換器で熱交換された空気を室内に戻すための吹出口と、前記吸込口から取り入れて熱交換した空気を前記吹出口から室内に吹き出すための室内送風手段とを具備してなる室内機ユニットと、
前記空調用冷媒の循環系統から独立した蓄熱用冷媒循環系統を備えている請求項１から３のいずれかに記載の氷蓄熱ユニットと、
前記室外機ユニット、前記室内機ユニット及び前記氷蓄熱ユニットを連結して前記空調用冷媒を循環させるための冷媒配管と、
を備えていることを特徴とする氷蓄熱式空調装置。
【請求項５】
前記蓄熱用冷媒を前記蓄熱媒体・冷媒熱交換器に流し、前記蓄熱用冷媒が保有する冷熱で前記空調用冷媒に過冷却を付加する補助ヒートポンプ利用冷房運転モードを備えていることを特徴とする請求項４記載の氷蓄熱式空調装置。
【請求項６】
前記蓄熱媒体・冷媒熱交換器内では、前記蓄熱用冷媒が前記蓄熱媒体を介して前記前記空調用冷媒に過冷却を付加することを特徴とする請求項５記載の氷蓄熱式空調装置。
【請求項７】
請求項４から６のいずれかに記載の氷蓄熱式空調装置の運転方法であって、
前記氷蓄熱ユニットを単独で運転して前記蓄熱用冷媒を循環させ、該蓄熱用冷媒で前記蓄熱媒体を冷却して蓄熱する冷房蓄熱運転モードと、
前記氷蓄熱ユニットを運転して前記蓄熱媒体を循環させると共に前記室外機ユニット及び前記室内機ユニットを運転し、前記蓄熱媒体が保有する冷熱で前記空調用冷媒に過冷却を付加して冷房運転を行う蓄熱利用冷房運転モードと、
前記氷蓄熱ユニットを運転して前記蓄熱用冷媒を循環させると共に前記室外機ユニット及び前記室内機ユニットを運転し、前記蓄熱用冷媒が保有する冷熱で前記空調用冷媒に過冷却を付加して冷房運転を行う補助ヒートポンプ利用冷房運転モードと、
前記氷蓄熱ユニットの運転を停止すると共に前記室外機ユニット及び前記室内機ユニットを運転して冷房運転を行う通常運転冷房モードと、
前記氷蓄熱ユニットの運転を停止すると共に前記室外機ユニット及び前記室内機ユニットを運転して暖房運転モードとを具備し、
上記各運転モードの中からいずれか一つを選択して運転することを特徴とする氷蓄熱式空調装置の運転方法。
【発明の詳細な説明】
【０００１】
【発明の属する技術分野】
本発明は、夜間等に冷熱を蓄熱して冷房運転時に有効利用する氷蓄熱ユニット、氷蓄熱式空調装置及びその運転方法に関する。
【０００２】
【従来の技術】
割安な夜間電力を有効利用して冷熱を蓄熱し、この冷熱を冷房運転時に使用するように構成した氷蓄熱式空調装置が知られている。
従来の氷蓄熱式空調装置は、通常の空調装置を構成する室外機ユニット及び室内機ユニットに加えて、たとえば冷水や氷の形で冷熱を蓄熱するための氷蓄熱部が上記室外機ユニット及び室内機ユニットと冷媒系統を一体化した構成として設けられている。
【０００３】
すなわち、従来の氷蓄熱式空調装置は、室外機ユニットの圧縮機から供給された冷媒を氷蓄熱部内に貯留された水等の蓄熱媒体と熱交換させて冷却する熱交換器を備えており、この熱交換器に液冷媒を流すことで蓄熱槽内の水から吸熱し、冷水や氷を形成して蓄熱槽内に貯蔵する。そして、冷房運転時には、蓄熱槽内から供給された冷水と室外機ユニットから送出された液冷媒とを水熱交換器に導入して熱交換し、冷却により過冷却を付加した液冷媒が室内機ユニットへ供給される。従って、圧縮機の最大負荷が低減され、圧縮機を小型化して消費電力の少ない高効率の冷房運転が可能となる。（たとえば、特許文献１参照）
【０００４】
【特許文献１】
特開２００２−３７２２６０号公報（第３−５頁、図１）
【０００５】
【発明が解決しようとする課題】
ところで、上述した従来の氷蓄熱式空調装置は、氷蓄熱部が蓄熱媒体の冷却に使用する冷媒と、室外機ユニット及び室内機ユニットで空調（冷暖房及び除湿）を行うために使用する冷媒とが同一の冷媒系統を形成しているため、下記のような問題点を有している。
（１）氷蓄熱式空調装置専用の室外機ユニットが必要である。すなわち、氷蓄熱部を持たない一般的な空調装置と組み合わせる構成は困難であり、コスト面で不利になる専用の室外機ユニットを新たに開発することが必要となる。また、専用の室外機ユニットが必要となることから、一般的な既設の空調装置に氷蓄熱部を後付けして使用するためには、室外機ユニットを交換したり、あるいは室外機ユニットの大幅な改造が必要となる。
【０００６】
（２）氷蓄熱部に冷熱を蓄熱する蓄冷運転と、冷暖房運転とを同時に行うことは困難である。
（３）運転に必要な冷媒量が多くなる。
（４）一つのユニットが故障すると、空調装置全体を停止して修理する必要があるので、空調運転が不可能となる。
【０００７】
本発明は、上記の事情に鑑みてなされたもので、専用の室外機ユニットを必要としない汎用性の高い氷蓄熱ユニット、氷蓄熱式空調装置及びその運転方法を提供することを目的とするものである。
【０００８】
【課題を解決するための手段】
本発明は、上記課題を解決するため、以下の手段を採用した。
請求項１に記載の氷蓄熱ユニットは、蓄熱媒体を貯蔵及び循環させる蓄熱媒体循環系と、蓄熱用冷媒を循環させて冷熱を発生させる蓄熱用冷媒循環系とを具備し、該蓄熱用冷媒循環系で発生させた冷熱を前記蓄熱媒体に蓄熱し、かつ、前記蓄熱媒体または前記蓄熱用冷媒が保有する冷熱で空調装置の空調用冷媒に過冷却を付加する蓄熱媒体・冷媒熱交換器を備えていることを特徴とするものである。
【０００９】
このような請求項１記載の氷蓄熱ユニットによれば、蓄熱用冷媒を循環させて冷熱を発生させる蓄熱専用の蓄熱用冷媒循環系を具備し、該蓄熱用冷媒循環系で発生させた冷熱を蓄熱媒体に蓄熱し、かつ、蓄熱媒体または蓄熱用冷媒が保有する冷熱で空調装置の空調用冷媒に過冷却を付加する蓄熱媒体・冷媒熱交換器を備えているので、冷媒循環系が空調装置から独立した氷蓄熱ユニットの単独運転により冷熱を蓄熱したり、あるいは、氷蓄熱ユニットの運転を停止して冷媒循環系が独立した空調装置を単独で運転することが可能になる。また、蓄熱媒体・冷媒熱交換器においては、蓄熱媒体による空調用冷媒への過冷却付加、蓄熱用冷媒による空調用冷媒への過冷却付加を選択的に実施することができる。
【００１０】
請求項２に記載の氷蓄熱ユニットは、蓄熱媒体を貯蔵する蓄熱槽と、前記蓄熱媒体を前記蓄熱槽の下部から導入して上部へ戻す蓄熱媒体配管と、該蓄熱媒体配管に設けられた蓄熱媒体循環ポンプとを具備してなる蓄熱媒体循環系と、
蓄熱用冷媒を圧縮する圧縮機と、前記蓄熱用冷媒と外気との間で熱交換を行う放熱用熱交換器と、前記蓄熱槽内に設置されて前記蓄熱用冷媒と前記蓄熱媒体との間で熱交換を行う蓄熱用熱交換器と、前記蓄熱媒体または前記蓄熱用冷媒が保有する冷熱で空調装置の空調用冷媒に過冷却を付加する蓄熱媒体・冷媒熱交換器と、前記放熱用熱交換器の下流で、流路選択手段を介し、第１の絞り手段及び前記蓄熱用熱交換器を経由して前記圧縮機に戻る蓄熱流路と、第２の絞り手段及び前記蓄熱媒体・冷媒熱交換器を経由して前記圧縮機に戻る空調用冷媒冷却流路とに分岐される蓄熱用冷媒配管とを具備してなる蓄熱用冷媒循環系と、
を備えていることを特徴とするものである。
【００１１】
このような請求項２記載の氷蓄熱ユニットによれば、蓄熱専用の蓄熱用冷媒循環系が、圧縮機、放熱用熱交換器、蓄熱用熱交換器、蓄熱媒体・冷媒熱交換器、蓄熱流路及び空調用冷媒冷却流路に分岐される蓄熱冷媒配管とを具備しているので、蓄熱用冷媒を循環させて冷熱を発生させる専用の冷媒回路及び冷凍サイクルが形成される。従って、冷媒循環系が空調装置から独立した氷蓄熱ユニットの単独運転により冷熱を蓄熱したり、あるいは、氷蓄熱ユニットの運転を停止して冷媒循環系が独立した空調装置を単独で運転することが可能になる。また、蓄熱媒体・冷媒熱交換器においては、蓄熱媒体による空調用冷媒への過冷却付加、蓄熱用冷媒による空調用冷媒への過冷却付加を選択的に実施することができる。
【００１２】
請求項１または２記載の氷蓄熱ユニットにおいては、前記蓄熱媒体・冷媒熱交換器が、前記蓄熱媒体と、前記蓄熱用冷媒と、前記空調用冷媒との３種の流体を流して熱交換させる３パス型であることが好ましく、これにより、蓄熱媒体による空調用冷媒への過冷却付加、蓄熱用冷媒による空調用冷媒への過冷却付加を一つの熱交換器により容易に行うことができる。（請求項３）
【００１３】
請求項４に記載の氷蓄熱式空気調和機は、空調用冷媒を圧縮するための圧縮機及び前記空調用冷媒と室外の空気との熱交換を行わせるための室外熱交換器を具備してなる室外機ユニットと、
室内の空気を取り入れるための吸込口と、該吸込口から取り入れた空気と前記空調用冷媒とを熱交換させて冷却または加熱するための室内熱交換器と、該室内熱交換器で熱交換された空気を室内に戻すための吹出口と、前記吸込口から取り入れて熱交換した空気を前記吹出口から室内に吹き出すための室内送風手段とを具備してなる室内機ユニットと、
前記空調用冷媒の循環系統から独立した蓄熱用冷媒循環系統を備えている請求項１から３のいずれかに記載の氷蓄熱ユニットと、
前記室外機ユニット、前記室内機ユニット及び前記氷蓄熱ユニットを連結して前記空調用冷媒を循環させるための冷媒配管と、
を備えていることを特徴とするものである。
【００１４】
このような請求項４記載の氷蓄熱式空調装置によれば、氷蓄熱ユニットが空調用冷媒の循環系統から独立した蓄熱用冷媒循環系統を備えているので、氷蓄熱ユニットの単独運転で冷熱を蓄熱したり、あるいは、氷蓄熱ユニットの運転を停止して空調装置の単独で冷房運転や暖房運転を実施することができる。
【００１５】
請求項４記載の氷蓄熱式空調装置においては、前記蓄熱用冷媒を前記蓄熱媒体・冷媒熱交換器に流し、前記蓄熱用冷媒が保有する冷熱で前記空調用冷媒に過冷却を付加する補助ヒートポンプ利用冷房運転モードを備えていることが好ましく、これにより、空調用冷媒を圧縮する圧縮機の能力を低く抑えることができる。（請求項５）
【００１６】
請求項５記載の氷蓄熱式空調装置においては、前記蓄熱媒体・冷媒熱交換器内では、前記蓄熱用冷媒が前記蓄熱媒体を介して前記前記空調用冷媒に過冷却を付加することが好ましく、これにより、蓄熱用冷媒を圧縮する圧縮機の運転点の変動による蓄熱用冷媒の温度変動を抑制した状態で空調用冷媒に過冷却を付加することができる。この時、蓄熱用冷媒よりも蓄熱用媒体の方の比熱が大きい状態であることが好ましい。（請求項６）
【００１７】
請求項７に記載の氷蓄熱式空調装置の運転方法は、請求項４から６のいずれかに記載の氷蓄熱式空調装置の運転方法であって、
前記氷蓄熱ユニットを単独で運転して前記蓄熱用冷媒を循環させ、該蓄熱用冷媒で前記蓄熱媒体を冷却して蓄熱する冷房蓄熱運転モードと、
前記氷蓄熱ユニットを運転して前記蓄熱媒体を循環させると共に前記室外機ユニット及び前記室内機ユニットを運転し、前記蓄熱媒体が保有する冷熱で前記空調用冷媒に過冷却を付加して冷房運転を行う蓄熱利用冷房運転モードと、
前記氷蓄熱ユニットを運転して前記蓄熱用冷媒を循環させると共に前記室外機ユニット及び前記室内機ユニットを運転し、前記蓄熱用冷媒が保有する冷熱で前記空調用冷媒に過冷却を付加して冷房運転を行う補助ヒートポンプ利用冷房運転モードと、
前記氷蓄熱ユニットの運転を停止すると共に前記室外機ユニット及び前記室内機ユニットを運転して冷房運転を行う通常運転冷房モードと、
前記氷蓄熱ユニットの運転を停止すると共に前記室外機ユニット及び前記室内機ユニットを運転して暖房運転モードとを具備し、
上記各運転モードの中からいずれか一つを選択して運転することを特徴とするものである。
【００１８】
このような請求項７記載の氷蓄熱式空調装置の運転方法によれば、氷蓄熱ユニットの単独運転による運転モードと、氷蓄熱ユニットと室外機ユニット及び室内機ユニットよりなる空調装置とを共に運転する運転モードと、室外機ユニット及び室内機ユニットよりなる空調装置を単独で運転する運転モードとを選択的に実施することができる。
【００１９】
【発明の実施の形態】
以下、本発明に係る氷蓄熱ユニット、氷蓄熱式空調装置及びその運転方法の一実施形態を、図面に基づいて説明する。
図１ないし図５において、図中の符号１は複数の室内機ユニットを備えたマルチ型の氷蓄熱式空調装置である。この氷蓄熱式空調装置１は、室外機ユニット１０と、複数の室内機ユニット２０と、氷蓄熱ユニット３０とを具備して構成される。なお、室外機ユニット１０及び室内機ユニット２０が空調用冷媒を循環させる冷媒配管２により連結されて、ヒートポンプによる冷暖房運転を可能にした周知の空調装置となる。
【００２０】
室外機ユニット１０は、空調用冷媒を圧縮するための空調用圧縮機１１と、運転モードに応じて空調用冷媒の循環方向を選択切換する四方弁１２と、室外の空気と空調用冷媒との間で熱交換を行わせる室外熱交換器１３と、絞り手段として設けられた室外機膨張弁１４とを具備して構成される周知のものである。
なお、図中の符号１５はアキュムレータ、１６は逆止弁であり、この他にも図示しない室外機ファンやレシーバなどを備えている。
【００２１】
室内機ユニット２０は、室内熱交換器２１と、室内機膨張弁２２とを具備してなる周知のもので、壁掛け型や天井埋込形などが設置場所に応じて適宜使い分けされている。また、室内機ユニット２０は、上述した室内熱交換器２１や室内機膨張弁２２の他にも、逆止弁２３や図示を省略した吸込口、吹出口及び室内送風手段のファンなどを備えている。
なお、室内機ユニット２０は、冷媒配管２により図示しない複数が並列に連結されている。
【００２２】
室内熱交換器２１は、ファンの運転により吸込口から取り入れた室内の空気と室外機ユニット１０から供給される空調用冷媒との間で熱交換を行わせる熱交換器である。室内の空気は、ファンの運転により吸込口から室内機ユニット２０内に取り入れられ、室内熱交換器２１を通過して空調用冷媒と熱交換した後、空調空気となって吹出口から室内へ吹き出される。
なお、室外機ユニット１０と室内機ユニット２０とを連結する冷媒配管２を流れる空調用冷媒は、絞り手段の室外膨張弁１４または室内膨張弁２２で絞られる（膨張する）前に、後述する氷・蓄熱ユニット３０に設けられている水（蓄熱媒体）・冷媒熱交換器５０を通過して流れる。
また、室内機膨張弁２２は冷房（除湿を含む）運転時に使用される絞り手段であり、室内機ユニット２０毎に設けられている。
【００２３】
氷蓄熱ユニット３０は、たとえば水などの蓄熱媒体Ｃを貯蔵及び循環させる蓄熱媒体循環系３１と、蓄熱用冷媒Ｃを循環させて冷熱を発生させる蓄熱用冷媒循環系４０とを具備して構成される。また、蓄熱用冷媒循環系４０で発生させた冷熱を蓄熱媒体Ｃに蓄熱し、かつ、蓄熱媒体Ｃまたは蓄熱用冷媒が保有する冷熱で空調装置の空調用冷媒に過冷却を付加するために、３パス型の水（蓄熱媒体）・冷媒熱交換器５０を備えている。
なお、以下の説明では、身近で簡単に入手でき、最も汎用的で取り扱いも容易な水が蓄熱媒体Ｃであるものとして説明するが、この他にも、塩化カルシウム、パラフィン、エチレングリコールなどのブラインを蓄熱媒体として用いることができる。
【００２４】
蓄熱媒体循環系３１は、蓄熱媒体Ｃの水を貯蔵する蓄熱槽３２と、蓄熱媒体Ｃの水を蓄熱槽３２の下部から導入して上部へ戻す蓄熱媒体配管３３と、該蓄熱媒体配管３３に設けられた蓄熱媒体循環ポンプ３４とを具備して構成される。
この蓄熱媒体循環系３１を流れる水は、３種類の流体を導入する３パス型の水・冷媒熱交換器５０を通過して流れる流体のひとつである。そして、水・冷媒熱交換器５０は、蓄熱媒体循環ポンプ３４の下流側に蓄熱媒体配管３３を介して連結されている。
【００２５】
蓄熱媒体循環系３１では、蓄熱媒体循環ポンプ３４を運転することにより、蓄熱槽３２に貯留されている液体の水を吸い込み、蓄熱媒体配管３３を介して水・冷媒熱交換器５０に送出する。この水は、水・冷媒熱交換器５０で熱交換してから、蓄熱媒体配管３３に導かれて蓄熱槽３２の上部開口から流下される。
また、このような水の循環は、蓄熱槽３２内に冷熱が蓄えられているときに行われる。このため、蓄熱槽３２内に貯留された水の状態を検出するため、蓄熱槽３２にはフロートスイッチ（図示省略）や水温センサ（図示省略）が設けられている。なお、フロートスイッチは蓄熱上限（氷が満杯）の状態を検出し、水温センサは蓄熱下限（氷がない状態）を検出するものであり、いずれの検出信号も図示しない制御部に送られて各構成機器類の運転制御に用いられる。
【００２６】
蓄熱用冷媒循環系４０は、蓄熱用冷媒を圧縮する蓄熱用圧縮機４１と、蓄熱用冷媒と外気との間で熱交換を行う放熱用熱交換器４２と、蓄熱槽３２内に設置されて蓄熱用冷媒と水（蓄熱媒体Ｃ）との間で熱交換を行う蓄熱用熱交換器４３と、放熱用熱交換器４２の下流で、流路選択手段の第１電磁弁４４及び第２電磁弁４５を介し、第１膨張弁（第１の絞り手段）４６及び蓄熱用熱交換器４３を経由して蓄熱用圧縮機４１に戻る蓄熱流路４８Ａと、第２膨張弁（第２の絞り手段）４７及び水・冷媒熱交換器５０を経由して圧縮機４１に戻る空調用冷媒冷却流路４８Ｂとに分岐される蓄熱用冷媒配管４８とを具備して構成される。
なお、流路切換手段としては、図示の第１電磁弁４４及び第２電磁弁４５に代えて、三方切換弁を採用してもよい。
【００２７】
また、この蓄熱用冷媒循環系４０は、蓄熱媒体の水または蓄熱用冷媒が保有する冷熱で空調装置の空調用冷媒に過冷却を付加する水・冷媒熱交換器５０を備えている。
水・冷媒熱交換器５０は、蓄熱用冷媒と、蓄熱媒体Ｃの水と、空調装置に使用される空調用冷媒との３種類の流体を通過させて熱交換を行うようにした３パス型のプレート形熱交換器である。従って、水・冷媒熱交換器５０には、冷媒配管２と、蓄熱媒体配管３３と、蓄熱用冷媒配管４８の空調用冷媒冷却流路４８Ｂとが連結されており、それぞれの管路を流れる流体が通過するように構成されている。
なお、蓄熱用冷媒循環系４０は、この他にも逆止弁４９や図示しない熱交換器ファンなどを備えている。
【００２８】
蓄熱用冷媒循環系４０は、蓄熱用圧縮機４０を運転することにより蓄熱用冷媒が一方向に循環する冷凍サイクルを構成する。
すなわち、蓄熱用圧縮機４０を運転することにより、蓄熱用冷媒は、高圧のガス冷媒が放熱用熱交換器４２に送出されて外気へ凝縮熱を放熱するので、ガス冷媒が凝縮して液冷媒となる。この液冷媒は、第１電磁弁４４または第２電磁弁４５の開閉状態に応じて流路が切り換えられる。
【００２９】
第１電磁弁４４を開とし、かつ、第２電磁弁４５を閉とした場合には、放熱用熱交換器４２をでた液相の蓄熱用冷媒は、蓄熱用冷媒配管４８から分岐して蓄熱流路４８Ａに導かれる。この蓄熱用冷媒は、第１膨張弁４６で減圧されてから蓄熱槽３２内の蓄熱用熱交換器４３に導かれ、この熱交換器で水から吸熱することにより蒸発する。このため、蓄熱用熱交換器４３は、水を冷却して氷に変える冷却器（蒸発器）として機能し、蓄熱槽３２内には氷の形で冷熱が蓄熱される。
こうして水から吸熱した蓄熱用冷媒は、液相から気相のガス冷媒となり、逆止弁４９を通過して再度蓄熱用圧縮機４１に吸引される。そして、蓄熱用冷媒は、以下同様の経路を循環して気液の状態変化を繰り返し、蓄熱槽３２に冷熱を蓄える。
【００３０】
また、第２電磁弁４５を開とし、かつ、第１電磁弁４４を閉とした場合には、放熱用熱交換器４２をでた液相の蓄熱用冷媒は、蓄熱用冷媒配管４８から分岐して空調用冷媒冷却流路４８Ｂに導かれる。この蓄熱用冷媒は、第２膨張弁４７で減圧されてから水・冷媒熱交換器５０に導かれ、この熱交換器で空調用冷媒を冷却して過冷却を付加する。この結果、蓄熱用冷媒は空調用冷媒から吸熱することにより蒸発するので、水・冷媒熱交換器５０は、空調用冷媒を冷却して過冷却を付加する冷却器（蒸発器）として機能する。
こうして空調用冷媒から吸熱した蓄熱用冷媒は、液相から気相のガス冷媒となり、再度蓄熱用圧縮機４１に吸引される。そして、蓄熱用冷媒は、以下同様の経路を循環して気液の状態変化を繰り返し、空調用冷媒に過冷却を付加する。
【００３１】
ところで、上述した水・冷媒熱交換器５０における冷媒による過冷却付加に際しては、蓄熱用冷媒と空調用冷媒とを直接熱交換させてもよいが、水を介して空調用冷媒を冷却することが好ましい。すなわち、蓄熱用冷媒よりも大きい比熱をもつ蓄熱媒体の水を冷却し、こうして生成された熱交換器内の冷水と空調用冷媒とを熱交換させて過冷却を付加するようにすれば、外気温度や保護制御等で蓄熱用圧縮機４１の運転が変動し蓄熱用冷媒の蒸発温度が多少変動しても、その変動が制御された状態で空調用冷媒を冷却することができるので、安定した過冷却能力が得られる。
【００３２】
そして、この水を介して蓄熱用冷媒が空調用冷媒を過冷却できるようにするため、本実施形態では、前述したようにプレート形熱交換器を採用し、蓄熱媒体・冷媒熱交換器（水・冷媒熱交換器）５０が、蓄熱用冷媒と蓄熱媒体である水との間、蓄熱媒体である水と空調用冷媒との間で熱交換する機能を持たせ、蓄熱用冷媒による過冷却と蓄熱媒体である水による過冷却とを一つの熱交換器で実現できるようにしている。
【００３３】
続いて、上述した氷蓄熱式空調装置の運転方法について、空調用冷媒及び蓄熱用冷媒の流れや状態変化と共に説明する。
この氷蓄熱式空調装置は、運転時間帯など諸事情に応じて、以下に説明する少なくとも５つの運転モードからひとつを選択して運転する。
【００３４】
最初に、図１に示す冷房蓄熱運転モードについて説明する。
この運転モードは、氷蓄熱ユニット３０を単独で運転して蓄熱用冷媒を循環させ、この蓄熱用冷媒で蓄熱媒体の水を冷却して氷の形で蓄熱（蓄冷）する運転モードである。この場合、室外機ユニット１０及び室内機ユニット２０よりなる空調装置は、その運転が停止されている。
【００３５】
この冷房蓄熱運転モードでは、第１電磁弁４４を開とし、かつ、第２電磁弁４５を閉として、氷蓄熱ユニット３０の蓄熱用圧縮機４１が運転される。なお、蓄熱媒体循環ポンプ３４は停止状態とする。
この結果、蓄熱用冷媒は、蓄熱用圧縮機４１から蓄熱用冷媒配管４８を通り、高温高圧のガス冷媒として放熱用熱交換器４２へ送出され、この熱交換器で外気へ放熱して凝縮し、高圧の液冷媒となる。この液冷媒は、第１電磁弁４４が開状態とされた蓄熱流路４８Ａを通って第１膨張弁４６へ導かれ、この第１膨張弁４６で減圧されてから蓄熱用熱交換器４３へ供給される。
【００３６】
蓄熱用熱交換器４３へ供給され液冷媒は、蓄熱槽３２内の水から吸熱して冷却する。この結果、液冷媒は気化して低圧のガス冷媒となり、水は氷になって冷熱が蓄熱される。このような蓄熱用熱交換器４３による水の冷却は、通常は蓄熱槽３２に設けられたフロートスイッチ（図示省略）が水位の上昇を検出し、制御部へ信号を出力するまで続けられる。すなわち、蓄熱槽３２内の水が所定量氷となって水位が上昇したことを検出し、これを蓄熱上限として蓄熱用圧縮機４１の運転を停止する。
【００３７】
こうしてガス冷媒となった蓄熱用冷媒は、逆止弁４９を通過して再度蓄熱用圧縮機４１へ吸引され、以下同様の状態変化を繰り返しながら蓄熱用冷媒配管４８及び蓄熱流路４８Ａを循環する。
さて、このような冷房蓄熱運転モードは、比較的小さな蓄熱用圧縮機４１の運転により蓄熱でき、冷房負荷がなく、しかも電力料金が割安になる時間帯（たとえば深夜など）を選んで実施するのが好ましい。
【００３８】
次に、図２に示す蓄熱利用冷房運転モードについて説明する。
この運転モードは、冷房負荷が大きく、電力消費を抑制したい電力消費がピークの時間帯（たとえば１３時〜１６時頃）に実施するのが好ましく、室外機ユニット１０及び室内機ユニット２０よりなる空調装置と、氷蓄熱ユニット３０の蓄熱媒体循環ポンプ３４とを運転する。
【００３９】
空調装置側では、空調用冷媒が次のように循環して、気液の状態変化を繰り返す。空調用圧縮機１１を運転して送出された高温高圧のガス冷媒は、四方弁１２の設定により冷媒配管２を通って室外熱交換器１３へ供給される。この室外熱交換器１３は、外気と空調用冷媒との間で熱交換を行わせて外気へ放熱し、ガス冷媒を凝縮させる凝縮器として機能する。ここで凝縮した液冷媒は、逆止弁１６を通過して水・冷媒熱交換器５０へ導かれる。なお、室外機膨張弁１４は流路抵抗が大きいため、液冷媒のほとんどが逆止弁１６を通過して流れる。
【００４０】
水・冷媒熱交換器５０を通過して流れる液相の空調用冷媒は、ここで蓄熱媒体の水（冷水）と熱交換して冷却され、過冷却を付加される。
これを詳細に説明すると、氷蓄熱ユニット３０側では、蓄熱媒体循環ポンプ３４を運転することにより、蓄熱槽３２内に貯蔵されている水が蓄熱媒体配管３３及び水・冷媒熱交換器５０を通って循環する。この水は、上述した冷房蓄熱運転モードで所定量が氷となっているため、非常に温度の低い冷水となる。従って、室外熱交換器１３で凝縮した比較的温度の高い液冷媒は、冷水に吸熱されて過冷却が付加される。
なお、本実施形態では、水・冷媒熱交換器５０における空調用冷媒の流方向と冷水の流方向が逆になる、すなわち、対向流となるように蓄熱媒体循環ポンプの圧送方向を規定している。対向流とすることにより、水・冷媒熱交換器５０内での熱交換効率を並行流とした場合よりも高くすることができる。
【００４１】
こうして比較的温度の低い液冷媒が室内機ユニット２０へ供給され、室内機膨張弁２２で減圧された後、室内熱交換器２１で室内の空気と熱交換する。このとき、液冷媒は室内の空気から気化熱を奪って蒸発するので、液冷媒は低圧のガス冷媒となり、室内の空気は冷却及び除湿された空調空気となって室内へ吹き出される。
室内熱交換器２１でガス冷媒となった空調用冷媒は、冷媒配管２を通って室外機ユニット１０に戻り、四方弁１２の設定によりアキュムレータ１５を経由して再度空調用圧縮機１１に吸引される。そして、以下同様の状態変化を繰り返しながら冷媒配管２を通って循環する。
【００４２】
一方、水・冷媒熱交換器５０で空調用冷媒に過冷却を付加して温度上昇した冷水は、再度蓄熱槽３２に戻される。蓄熱槽３２内には氷が残っているので、この氷をとかすことにより冷水の温度は維持される。こうして低温に維持された冷水は、蓄熱媒体配管３３、蓄熱媒体ポンプ３４及び水・冷媒熱交換器５０を通って蓄熱媒体循環系３１を循環する。
なお、蓄熱槽３２内に氷がなくなると、すなわち蓄熱がなくなると水の温度が上昇することになるので、水温が所定値以上に上昇したことを水温センサで検出した場合には、この信号が制御部に送られて蓄熱利用冷房運転モードの運転を停止する。
【００４３】
このような蓄熱利用冷房運転モードを採用することにより、水・冷媒熱交換器５０で液相の空調用冷媒に過冷却を付加することができ、その分空調用圧縮機１１の能力を小さくして運転することができる。すなわち、空調用圧縮機１１の消費電力を抑制し、消費電力の少ない高効率の冷房運転が可能となる。なお、ここで低減できる空調用圧縮機１１の消費電力は、蓄熱媒体循環ポンプ３４の運転に必要な消費電力と比較してかなり大きなものとなるので、氷蓄熱式空調装置１が全体で消費する電力を低減することができる。
【００４４】
次に、図３に示す補助ヒートポンプ利用冷房運転モードについて説明する。
この運転モードは、冷房運転の電力消費を抑制したい時間帯、たとえば電力消費がピークとなる時間帯の前後（たとえば８時〜１３時頃及び１６時から１８時頃）に実施するのが好ましく、室外機ユニット１０及び室内機ユニット２０よりなる空調装置と、氷蓄熱ユニット３０の蓄熱用圧縮機４１とを運転する。
【００４５】
空調装置側では、上述した蓄熱利用冷房運転モードと同様に、空調用冷媒が次のように循環して気液の状態変化を繰り返す。
空調用圧縮機１１を運転して送出された高温高圧のガス冷媒は、四方弁１２の設定により冷媒配管２を通って室外熱交換器１３へ供給される。この室外熱交換器１３は、外気と空調用冷媒との間で熱交換を行わせて外気へ放熱し、ガス冷媒を凝縮させる凝縮器として機能する。ここで凝縮した液冷媒は、逆止弁１６を通過して水・冷媒熱交換器５０へ導かれる。なお、室外機膨張弁１４は流路抵抗が大きいため、液冷媒のほとんどが逆止弁１６を通過して流れる。
【００４６】
水・蓄熱ユニット５０を通過して流れる液相の空調用冷媒は、ここで蓄熱用冷媒と熱交換して冷却され、過冷却を付加される。
これを詳細に説明すると、氷蓄熱ユニット３０側では、蓄熱用圧縮機４１を運転することにより、冷房蓄熱運転モード時の蓄熱と同様に、以下に説明するようにして蓄熱用冷媒循環系４０を循環して状態変化を繰り返す。
【００４７】
この運転モードでは、第２電磁弁４５を開とし、かつ、第１電磁弁４４を閉として、氷蓄熱ユニット３０の蓄熱用圧縮機４１が運転される。なお、蓄熱媒体循環ポンプ３４は停止状態とする。
この結果、蓄熱用冷媒は、蓄熱用圧縮機４１から蓄熱用冷媒配管４８を通り、高温高圧のガス冷媒として放熱用熱交換器４２へ送出され、この熱交換器で外気へ放熱して凝縮し、高圧の液冷媒となる。この液冷媒は、第２電磁弁４５が開状態とされた空調用冷媒冷却流路４８Ｂを通って第２膨張弁４７へ導かれ、この第２膨張弁４７で減圧されてから水・冷媒熱交換器５０へ供給される。
【００４８】
水・冷媒熱交換器５０へ供給された液相の蓄熱用冷媒は、室外機ユニット１０から送られてきた液相の空調用冷媒から吸熱して冷却する。この結果、液相の蓄熱用冷媒は気化して低圧のガス冷媒となり、同じく液相の空調用冷媒には過冷却が付加される。このとき、水・冷媒熱交換器５０における蓄熱用冷媒の蒸発温度を比較的高めに（たとえば１０℃〜１５℃程度）設定することにより、蓄熱用圧縮機４１の入力を抑えることが好ましい。
こうしてガス冷媒となった蓄熱用冷媒は、再度蓄熱用圧縮機４１へ吸引され、以下同様の状態変化を繰り返しながら蓄熱用冷媒配管４８及び空調用冷媒冷却流路４８Ｂを循環する。
【００４９】
こうして比較的温度の低い液冷媒が室内機ユニット２０へ供給され、室内機膨張弁２２で減圧された後、室内熱交換器２１で室内の空気と熱交換する。このとき、液冷媒は室内の空気から気化熱を奪って蒸発するので、液冷媒は低圧のガス冷媒となり、室内の空気は冷却及び除湿された空調空気となって室内へ吹き出される。
室内熱交換器２１でガス冷媒となった空調用冷媒は、冷媒配管２を通って室外機ユニット１０に戻り、四方弁１２の設定によりアキュムレータ１５を経由して再度空調用圧縮機１１に吸引される。そして、以下同様の状態変化を繰り返しながら冷媒配管２を通って循環する。
【００５０】
このような蓄熱利用冷房運転モードを採用することにより、水・冷媒熱交換器５０で液相の空調用冷媒に過冷却を付加することができ、その分空調用圧縮機１１の能力を小さくして運転することができる。すなわち、空調用圧縮機１１の消費電力を抑制し、消費電力の少ない高効率の冷房運転が可能となる。なお、ここで低減できる空調用圧縮機１１の消費電力は、蓄熱用圧縮機４１の運転に必要な消費電力と比較してかなり大きなものとなるので、氷蓄熱式空調装置１が全体で消費する電力を低減することができる。
【００５１】
ところで、上述した水・冷媒熱交換器５０における蓄熱用冷媒と空調用冷媒との熱交換は、蓄熱媒体の水を介在させて行うことが好ましい。すなわち、液相の蓄熱用冷媒が気化することで最初に熱交換器内の水を冷却し、この冷水と空調用冷媒とを熱交換させ、空調用冷媒を冷水で冷却して過冷却を付加するようにすれば、蓄熱用圧縮機４１の運転変動に影響されにくい安定した過冷却能力を付加することができる。
【００５２】
次に、図４に示す通常（蓄熱非利用）冷房運転モードについて説明する。
この運転モードは、氷蓄熱ユニット３０を全く利用しない通常の冷房運転であり、氷蓄熱ユニット３０を全面的に停止し、室外機ユニット１０及び室内機ユニット２０のみが運転される。すなわち、水・冷媒熱交換器５０を液冷媒が単に通過する以外は、一般的な空調装置の冷房運転と同じである。
【００５３】
すなわち、空調装置側では、空調用冷媒が次のように循環して、気液の状態変化を繰り返す。空調用圧縮機１１を運転して送出された高温高圧のガス冷媒は、四方弁１２の設定により冷媒配管２を通って室外熱交換器１３へ供給される。この室外熱交換器１３は、外気と空調用冷媒との間で熱交換を行わせて外気へ放熱し、ガス冷媒を凝縮させる凝縮器として機能する。ここで凝縮した液冷媒は、逆止弁１６を通過して水・冷媒熱交換器５０へ導かれる。なお、室外機膨張弁１４は流路抵抗が大きいため、液冷媒のほとんどが逆止弁１６を通過して流れる。
【００５４】
水・蓄熱ユニット５０を流れる液相の空調用冷媒は、氷蓄熱ユニット３０が停止しているため蓄熱媒体の水や蓄熱用冷媒の循環がなく、従って、この熱交換器を単に通過するだけとなる。
こうして液相の空調用冷媒が室内機ユニット２０へ供給されると、室内機膨張弁２２で減圧された後、室内熱交換器２１で室内の空気と熱交換する。ここで、液冷媒は室内の空気から気化熱を奪って蒸発するので、液相の冷媒は低圧のガス冷媒となり、室内の空気は冷却及び除湿された空調空気となって室内へ吹き出される。
室内熱交換器２１でガス冷媒となった空調用冷媒は、冷媒配管２を通って室外機ユニット１０に戻り、四方弁１２の設定によりアキュムレータ１５を経由して再度空調用圧縮機１１に吸引される。そして、以下同様の状態変化を繰り返しながら冷媒配管２を通って循環する。
【００５５】
最後に、図５に示す暖房運転モードについて説明する。
この運転モードは、氷蓄熱ユニット３０を全く利用しない通常の空調装置における暖房運転と同じであり、氷蓄熱ユニット３０を全面的に停止し、室外機ユニット１０及び室内機ユニット２０のみが運転される。すなわち、水・冷媒熱交換器５０を液冷媒が単に通過することのみが異なっている。
【００５６】
すなわち、空調装置側では、空調用冷媒が次のように循環して、気液の状態変化を繰り返す。空調用圧縮機１１を運転して送出された高温高圧のガス冷媒は、四方弁１２の設定により冷媒配管２を通って室内機ユニット２０の室内熱交換器２１へ供給される。この室内熱交換器２１は、室内の空気と空調用冷媒との間で熱交換を行わせて内気へ放熱し、ガス冷媒を凝縮させる凝縮器（放熱器）として機能する。このため、内気は加熱された空調空気となり、室内へ向けて吹き出される。
【００５７】
一方、室内熱交換器２１で凝縮した液冷媒は、逆止弁２３を通過して水・冷媒熱交換器５０へ導かれる。なお、室内機膨張弁２２は流路抵抗が大きいため、液冷媒のほとんどが逆止弁２３を通過して流れる。
水・蓄熱ユニット５０を流れる液相の空調用冷媒は、氷蓄熱ユニット３０が停止しているため蓄熱媒体の水や蓄熱用冷媒の循環がなく、従って、この熱交換器を単に通過するだけとなる。
【００５８】
こうして液相の空調用冷媒が室外機ユニット１０へ戻されると、室外機膨張弁１４で減圧された後、室外熱交換器１３で外気と熱交換する。ここで、液冷媒は外気から気化熱を奪って蒸発するので、液相の冷媒は低圧のガス冷媒となり、外気は温度低下して室外へ吹き出される。
室外熱交換器１３でガス冷媒となった空調用冷媒は、四方弁１２の設定によりアキュムレータ１５を経由して再度空調用圧縮機１１に吸引される。そして、以下同様の状態変化を繰り返しながら冷媒配管２を通って循環する。
【００５９】
以上説明したように、本発明の氷蓄熱式空調装置１は、氷蓄熱ユニット３０で使用する蓄熱用冷媒系統と、空調装置で使用する空調用冷媒系統とがそれぞれ独立して冷凍サイクルを形成しているので、氷蓄熱ユニット３０を単独で運転する冷房蓄熱運転モードの実施と同時に、室外機ユニット１０及び室内機ユニット２０を運転する冷暖房の空調運転が可能となる。すなわち、水・冷媒熱交換器５０は空調用冷媒のみが通過するので、蓄熱用冷媒による冷熱の蓄熱と空調用冷媒による空調とは、互いに影響を受けることなく独自の制御で運転を行うことができる。
【００６０】
このため、たとえば既設の室外機ユニット１０及び室内機ユニット２０よりなる空調装置に対し、後付で氷蓄熱ユニット３０を設けることも可能になる。換言すれば、氷蓄熱ユニット３０を接続する専用の室外機ユニット１０や室内機ユニット２０をわざわざ開発する必要がなく、通常の空調装置に用いる標準化された室外機ユニット１０及び室内機ユニット２０に、必要に応じて氷蓄熱ユニット３０を組み合わせることを容易に実施できる。
さらに、空調装置または氷蓄熱ユニット３０のいずれか一方が故障しても、氷蓄熱式空調装置１の全体を停止することなく修復させることが可能になる。すなわち、氷蓄熱ユニット３０側に故障が生じても、通常の冷暖房運転を継続することが可能である。
【００６１】
また、空調用冷媒と蓄熱用冷媒とは必ずしも同じ種類の冷媒を使用する必要がなくなり、たとえば空調冷媒として一般的なＲ４０７Ｃを使用し、蓄熱用冷媒としてＣＯＰの向上に有効なＲ４１０Ｃを使用することも可能である。
【００６２】
ところで、空調用冷媒としてＲ４１０Ｃを使用するためには、高耐圧冷媒のため圧縮機、弁類及び配管など各種構成部品の耐圧性能を変更するなど大幅な改良が必要となり、コストがかさむこととなる。しかし、本発明の構成のように冷媒系統が独立していれば、氷蓄熱ユニット３０側の蓄熱用冷媒にのみＲ４１０Ｃを使用することが可能となり、空調装置側はそのままにして大きな改良をしなくても、氷蓄熱式空調装置全体としてのＣＯＰを向上させて高効率化を達成することができる。
【００６３】
なお、本発明の構成は上述した実施形態に限定されるものではなく、本発明の要旨を逸脱しない範囲内において適宜変更することができる。
【００６４】
【発明の効果】
上述した本発明の氷蓄熱ユニット、氷蓄熱式空調装置及びその運転方法によれば、以下の効果を奏する。
請求項１及び２記載の氷蓄熱ユニットによれば、冷媒循環系が空調装置から独立した氷蓄熱ユニットの単独運転により冷熱を蓄熱したり、あるいは、氷蓄熱ユニットの運転を停止して冷媒循環系が独立した空調装置を単独で運転することが可能になり、さらに、蓄熱媒体・冷媒熱交換器においては、蓄熱媒体による空調用冷媒への過冷却付加、蓄熱用冷媒による空調用冷媒への過冷却付加を選択的に実施することができる。
このため、既設の空調装置への後付や標準化された通常の空調装置との組み合わせが容易になり、また、独自の冷媒を使用することも可能になり、氷蓄熱式空調装置専用の室外機ユニットや室内機ユニットを新たに開発する必要がなく、汎用性の高い氷蓄熱ユニットとなる。
【００６５】
請求項４記載の氷蓄熱式空調装置によれば、氷蓄熱ユニットが空調用冷媒の循環系統から独立した蓄熱用冷媒循環系統を備えているので、氷蓄熱ユニットの単独運転で冷熱を蓄熱したり、あるいは、氷蓄熱ユニットの運転を停止して空調装置単独で冷房運転や暖房運転を実施することができる。また、運転に必要な冷媒量を抑制することもできる。
このため、既設の空調装置に氷蓄熱ユニットを後付したり、標準化された通常の空調装置と組み合わせて氷蓄熱ユニットを設けたりすることが容易になる。また、空調装置及び蓄熱用冷媒ユニットにそれぞれ独自の冷媒を使用することも可能になるので、氷蓄熱式空調装置専用の室外機ユニットや室内機ユニットを新たに開発する必要がなく、低コストで汎用性の高い氷蓄熱式空調装置となる。
【００６６】
また、蓄熱用冷媒を蓄熱媒体・冷媒熱交換器に流し、蓄熱用冷媒が保有する冷熱で空調用冷媒に過冷却を付加する補助ヒートポンプ利用冷房運転モードを設けたので、空調用圧縮機の能力を低く抑え、圧縮機の小型化や消費電力の低減によるＣＯＰの向上、及び製造コストや運転コストの低減の大きな効果を奏する。
この場合、蓄熱媒体・冷媒熱交換器内では、蓄熱用冷媒が蓄熱媒体を介して空調用冷媒に過冷却を付加するようにすれば、温度変動が小さい蓄熱用媒体で空調用冷媒に過冷却を付加することができるので、安定した過冷却能力を付加するという顕著な効果が得られる。
【００６７】
請求項７記載の氷蓄熱式空調装置の運転方法によれば、氷蓄熱ユニットの単独運転による運転モードと、氷蓄熱ユニットと室外機ユニット及び室内機ユニットよりなる空調装置とを共に運転する運転モードと、室外機ユニット及び室内機ユニットよりなる空調装置を単独で運転する運転モードとを選択的に実施することができるので、氷蓄熱ユニットを後付けしたり、あるいは、通常の空調装置と組み合わせた運転を行うことが容易になる。
【図面の簡単な説明】
【図１】本発明に係る氷蓄熱式空調装置の一実施形態を示す構成図で、冷房蓄熱運転モードの状態が示されている。
【図２】本発明に係る氷蓄熱式空調装置の一実施形態を示す構成図で、蓄熱利用冷房運転モードの状態が示されている。
【図３】本発明に係る氷蓄熱式空調装置の一実施形態を示す構成図で、補助ヒートポンプ利用冷房運転モードの状態が示されている。
【図４】本発明に係る氷蓄熱式空調装置の一実施形態を示す構成図で、通常（蓄熱非利用）冷房運転モードの状態が示されている。
【図５】本発明に係る氷蓄熱式空調装置の一実施形態を示す構成図で、暖房運転モードの状態が示されている。
【符号の説明】
１    氷蓄熱式空調装置
２    冷媒配管（空調用冷媒配管）
１０    室外機ユニット
１１    空調用圧縮機
１２    四方弁
１３    室外熱交換器
１４    室外膨張弁（絞り手段）
１５    アキュムレータ
１６、２３，４９    逆止弁
２０    室内機ユニット
２１    室内熱交換器
２２    室内膨張弁（絞り手段）
３０    氷蓄熱ユニット
３１    蓄熱媒体循環系
３２    蓄熱槽
３３    蓄熱媒体配管
３４    蓄熱媒体循環ポンプ
４０    蓄熱用冷媒循環系
４１    蓄熱用圧縮機
４２    放熱用熱交換器
４３    蓄熱用熱交換器
４４    第１電磁弁（流路選択手段）
４５    第２電磁弁（流路選択手段）
４６    第１膨張弁（第１の絞り手段）
４７    第２膨張弁（第２の絞り手段）
４８    蓄熱用冷媒配管
４８Ａ    蓄熱流路
４８Ｂ    空調用冷媒冷却流路
５０    水（蓄熱媒体）・冷媒熱交換器
Ｃ    蓄熱媒体
【図１】
2004293889.tif 000003
【図２】
2004293889.tif 000004
【図３】
2004293889.tif 000005
【図４】
2004293889.tif 000006
【図５】
2004293889.tif 000007